(57)【要約】【課題】多量の飲食物が容器外に出ることを防止した摂食嚥下用容器を提供する。【解決手段】摂食嚥下用容器１０は、液状の飲食物Ｆを収容するとともに、開口部１２を有する有底筒状の容器本体１１と、開口部１２を覆う蓋部１５と、一端部が容器本体１１内に配されるとともに、他端部が容器本体１１外に配されるように蓋部１５を貫通して取り付けられたストロー２５と、ストロー２５の一端部に取り付けられる取付部２２、および、容器本体１１の側壁面１１Ａ側に開口して容器本体１１内の飲食物Ｆを受け入れる受け入れ口２３を有する内容器２０と、を備える。【選択図】図１
2014061064.tif 000002
【特許請求の範囲】
【請求項１】
液状の飲食物を収容するとともに、開口部を有する有底筒状の容器本体と、
前記開口部を覆う蓋部と、
一端部が前記容器本体内に配されるとともに、他端部が前記容器本体外に配されるように前記蓋部を貫通して取り付けられたストローと、
前記ストローの一端部に取り付けられる取付部、および、前記容器本体の側壁面側に開口して前記容器本体内の飲食物を受け入れる受け入れ口を有する内容器と、を備える摂食嚥下用容器。
【請求項２】
前記蓋部の、前記内容器の受け入れ口と対応する領域には、前記容器本体内の空気を逃がす空気孔が設けられている請求項１に記載の摂食嚥下用容器。
【請求項３】
前記内容器は前記容器本体の底壁面に載置可能である請求項１または請求項２に記載の摂食嚥下用容器。
【請求項４】
前記内容器の上面には、端部に近づくに従いその高さ寸法が小さくなる傾斜面が形成されている請求項１ないし請求項３のいずれか一項に記載の摂食嚥下用容器。
【請求項５】
前記ストローは、その配置方向と前記容器本体の底部内壁面とのなす角が鋭角となるように取り付けられている請求項１ないし請求項４のいずれか一項に記載の摂食嚥下用容器。
【請求項６】
前記ストロー、前記内容器、および前記蓋部は、分解可能である請求項１ないし請求項５のいずれか一項に記載の摂食嚥下用容器。
【請求項７】
可動式の把手部をさらに備える請求項１ないし請求項６のいずれか一項に記載の摂食嚥下用容器。
【発明の詳細な説明】
【技術分野】
【０００１】
本発明は、摂食嚥下用容器に関する。
【背景技術】
【０００２】
従来から、高齢者や幼児等が液状の飲料や食品を摂食する際に用いる容器としては、ストロー付きのコップや吸い飲み器等の容器が知られている（例えば特許文献１を参照）。
特許文献１には、ストローや吸い口のついた蓋を備える吸い飲み器が開示されており、ストローや吸い口を介して飲食物を摂食することができるようになっている。
【先行技術文献】
【特許文献】
【０００３】
【特許文献１】実公平１−３０９４８号公報
【発明の概要】
【発明が解決しようとする課題】
【０００４】
ストロー付きのコップや吸い飲み器を用いて飲食物を摂食するときには、コップ等を傾け過ぎることなどに起因して、思いがけず多量の飲食物が口に入ることがある。例えば、嚥下障害の人の口に、多量の飲食物が入ると、円滑に嚥下できずに飲食物が口からこぼれたり、むせたり、誤嚥による肺炎をおこすおそれがある。
【０００５】
また、飲食物を入れた状態のコップ等の容器が転倒すると、ストローや吸い口を介して容器内の飲食物が多量に外に出てしまう（こぼれる）おそれがあった。
【０００６】
本発明は上記のような事情に基づいて完成されたものであって、多量の飲食物が容器外に出ることを防止した摂食嚥下用容器を提供することを目的とする。
【課題を解決するための手段】
【０００７】
本発明は、液状の飲食物を収容するとともに、開口部を有する有底筒状の容器本体と、前記開口部を覆う蓋部と、一端部が前記容器本体内に配されるとともに、他端部が前記容器本体外に配されるように前記蓋部を貫通して取り付けられたストローと、前記ストローの一端部に取り付けられる取付部、および、前記容器本体の側壁面側に開口して前記容器本体内の飲食物を受け入れる受け入れ口を有する内容器と、を備える摂食嚥下用容器である。
【０００８】
本発明の摂食嚥下用容器（単に「容器」ともいう）の容器本体内に収容された飲食物を摂食するときには、ストローを介して飲食物を吸入するか、容器本体を傾けてストローの端部から飲食物を口腔内に流入させる。いずれの場合であっても、容器本体内の飲食物は、内容器に入った後ストローを通過して容器本体外に出て口腔内に入る。
【０００９】
また、本発明の容器が転倒した場合にも、容器本体内に収容された飲食物は内容器に入った後ストローを通過して容器本体外に出る。
【００１０】
ここで、本発明において、内容器の受け入れ口は、容器本体の側壁面側に開口しているので、摂食の際に容器本体を傾けたり、転倒により容器本体が傾むくと、多くの場合、内容器の受け入れ口が飲食物の液面よりも上に配される。特に、容器が転倒したときには容器本体が大きく傾くため内容器の受け入れ口は飲食物の液面よりも上に配される。内容器の受け入れ口が飲食物の液面よりも上に配されると、すでに内容器とストローに入っている量以下の飲食物しか容器本体外に流れ出ない。
【００１１】
容器本体の側壁面側に開口する受け入れ口が飲食物の液面よりも下になっていたとしても、容器本体内の飲食物が容器本体外に出るには、必ず内容器内とストロー内を通過する必要があるため、受け入れ口が飲食物の液面よりも上になるところまで飲食物が容器本体の外に出る可能性はあるが、それ以上の量の飲食物は容器本体の外には出ない。
【００１２】
なお、受け入れ口が下向きに配されている場合には、すでに内容器に入っていた飲食物も、内容器の受け入れ口から容器本体内に戻る。そのため、内容器の受け入れ口が、飲食物の液面よりも上のときだけでなく液面よりも下のときでも、容器本体内の飲食物はほとんど容器本体の外に出ない。
その結果、本発明によれば多量の飲食物が容器外に出ることを防止した摂食嚥下用容器を提供することができる。
【００１３】
本発明は以下の構成であってもよい。
前記蓋部の、前記内容器の受け入れ口と対応する領域には、前記容器本体内の空気を逃がす空気孔が設けられていてもよい。
このような構成とすると、容器本体が傾いて受け入れ口が上向きに配されているときに、空気孔も上側に配されるので、空気孔からの飲食物の流出を防止できる。
【００１４】
前記内容器は前記容器本体の底部内壁面に載置可能であってもよい。
本発明において容器本体内の飲食物は、内容器とストローを通過するが、内容器が容器本体の上方に配されていると、容器本体の下の方に飲食物が残ることがある。そこで、上記のような構成とすると、容器本体に収容されている飲食物を残さずに摂食することができる。
【００１５】
前記内容器の上面には、端部に近づくに従いその高さ寸法が小さくなる傾斜面が形成されていてもよい。
容器本体内に、とろみにある飲食物が収容されている場合、内容器の上面に残ることがある。そこで、上記のような構成とすると、容器本体内に収容される飲食物がとろみのあるものであっても、内容器の上面から下方へ流れ落ちるので、飲食物を残さずに摂食することができる。
【００１６】
前記ストローは、その配置方向と前記容器本体の底部内壁面とのなす角が鋭角となるように取り付けられていてもよい。
ストローの配置方向と容器本体の内壁面とのなす角が垂直あるいは鈍角となるようにストローが取り付けられている場合、容器本体内の飲食物を摂食する際に容器本体を傾ける必要がないが、上記のような構成とすると、摂食する際に容器本体を大きく傾けることとなる。その結果、内容器の受け入れ口が飲食物の液面よりも上に配されやすくなり、容器本体内の飲食物が容器本体外に出るのを確実に防止することができる。また、上記のような構成とすると、ストローが口と反対方向に配されているので、摂食のため容器に口を近づけたときに自然に顎を引いて飲食物が食道に流れ込みやすい姿勢となり、むせや誤嚥を予防することができる。
【００１７】
前記ストロー、前記内容器、および前記蓋部は、分解可能であってもよい。
このような構成とすると、各部品の洗浄が容易となり容器を清潔に保つことができる。
【００１８】
可動式の把手部をさらに備えていてもよい。
このような構成とすると、所望の位置に把手部を配置できるので好ましい。
【発明の効果】
【００１９】
本発明によれば、多量の飲食物が容器外に出ることを防止した摂食嚥下用容器を提供することができる。
【図面の簡単な説明】
【００２０】
【図１】実施形態１の摂食嚥下用容器の側面図
【図２】内容器の受け入れ口側から描いた摂食嚥下用容器の図
【図３】分解状態にある各部材の側面図
【図４】ストローと内容器の斜視図
【図５】摂食嚥下用容器の断面図
【図６】傾けた状態の摂食嚥下用容器の断面図
【図７】転倒状態の摂食嚥下用容器の断面図
【図８】飲食物が出る状態を示す摂食嚥下用容器の断面図
【図９】飲食物がこぼれた状態を示す摂食嚥下用容器の断面図
【図１０】他の実施形態で説明する摂食嚥下用容器において用いる内容器の斜視図
【発明を実施するための形態】
【００２１】
＜実施形態１＞
本発明の実施形態１を図１ないし図９によって説明する。
本実施形態の摂食嚥下用容器１０（以下「容器１０」ともいう）は図１に示すように、上方に開口部１２を有する有底筒状の容器本体１１と、蓋部１５と、ストロー２５と、内容器２０と、を備える。
【００２２】
（容器本体１１）
容器本体１１は、略円筒状をなし、筒状の側壁面１１Ａには収容される飲食物Ｆの量を示す目盛が設けられている。容器本体１１の材料としてはガラスや樹脂など、飲食用の容器の材料として使用可能な各種材料を用いることができる。
【００２３】
容器本体１１内には、液状の飲食物Ｆが収容可能とされる。液状の飲食物Ｆとしては、液体状のものや、とろみのある半流動体状のものが挙げられる。液状の飲食物Ｆには、ストロー２５や内容器２０が詰らない程度の大きさの固形物が含まれていてもよい。
【００２４】
容器本体１１の上端部１３は、図１および図２に示すように、外側方向に膨出されたフランジ状をなしており、把手部１４が上方に抜けるのを防止している。把手部１４は回動することにより所望の位置に移動させることができるようになっている（可動式の把手部の一例）。
【００２５】
（蓋部１５）
容器本体１１の開口部１２には蓋部１５が取り付けられている。蓋部１５は容器本体１１の開口部１２の全域を覆ってその一部は容器本体１１内に嵌めこまれている。
【００２６】
蓋部１５には図５〜図９に示すように、容器本体１１内の空気を逃がす空気孔１６が形成されている。空気孔１６は後述する内容器２０の受け入れ口２３と対応する領域１５Ａに形成されている。
【００２７】
蓋部１５の、空気孔１６と反対側の端部寄りには、上方に突出するとともにストロー２５を取付可能なストロー取付突部１７が形成されている。ストロー取付突部１７には、ストロー２５を挿通可能な挿通孔１７Ａが設けられている。またストロー取付突部１７には、蓋部１５にストロー２５を固定する固定部材１９を係止するフランジ部１８が形成されている。
【００２８】
（ストロー２５）
ストロー２５は樹脂製の固定部材１９により蓋部１５のストロー取付突部１７に取り付けられている。固定部材１９は筒状をなしており、その上端部分にはストロー２５が嵌めこみ可能な径の円形孔１９Ａが形成されている。固定部材１９の下端部分はフランジ部１８に係止されるようになっている。固定部材１９の下端部分の孔径は上端部分の円形孔１９Ａの孔径よりも大きくなっている。ストロー２５はシリコンなどの弾性のある材料から構成されている。
【００２９】
ストロー２５は、その下端部（一端部）が容器本体１１内に収容される内容器２０に取り付けられ、その上端部（他端部）が容器本体１１外に配されるように蓋部１５を貫通して取り付けられている。
【００３０】
ストロー２５は、図１に示すように、その配置方向と容器本体１１の底部内壁面１１Ｂとのなす角（θ）が鋭角となるように取り付けられている。また。本実施形態において、ストロー２５、内容器２０、および蓋部１５は分解可能である（図３を参照）。
【００３１】
（内容器２０）
樹脂製の内容器２０の上面には、図２に示すように、端部に近づくに従いその高さ寸法が小さくなる弧状の傾斜面２１が形成されている。内容器２０の上面には、ストロー２５に圧入されて取り付けられる取付部２２が突出形成されている。取付部２２は内容器２０の内部に連通している。内容器２０は、容器本体１１の底部内壁面１１Ｂに載置可能とされる。
【００３２】
さて、内容器２０の取付部２２と反対側の端部においては、図２および図４に示すように、容器本体１１の側壁面１１Ａ側に開口して、飲食物Ｆを受け入れる受け入れ口２３が設けられている。受け入れ口２３から受け入れられた飲食物Ｆは内容器２０の内部に入った後、ストロー２５内を通過して、ストロー２５の上端部から容器本体１１外に出るようになっている。本実施形態において内容器２０の内容積は、６〜８ｍｌに設定されている。
【００３３】
（本実施形態の作用および効果）
次に本実施形態の作用および効果を説明する。
本実施形態の容器１０を使用して飲食物Ｆを摂食するときには、蓋部１５を取り外して開口部１２から容器本体１１内に飲食物Ｆを注ぐ。次に、内容器２０を取り付けたストロー２５を備えた蓋部１５を容器本体１１の開口部１２に嵌めこんで取り付ける。このとき、内容器２０が容器本体１１の底部内壁面１１Ｂに接する位置までストロー２５を差し込むと内容器２０が容器本体１１の底部内壁面１１Ｂに載置される。
【００３４】
次に把手部１４を回動させて、所望の位置に配置すると、図５に示すような状態（容器１０に、飲食物Ｆが容器本体１１内に収容された状態であって、所定位置に把手部１４が配されている状態）となる。
【００３５】
容器本体１１内に収容された飲食物Ｆを摂食するときには、ストロー２５を介して飲食物Ｆを吸入するか、図６に示すように、容器本体１１を傾けてストロー２５の上端部から飲食物Ｆを口腔内に流入させる。いずれの場合であっても、容器本体１１内の飲食物Ｆは、内容器２０に移動した後ストロー２５を通過して容器本体１１外に出て口腔内に入る。
【００３６】
飲食物Ｆを摂食する際に容器本体１１を傾けると、本実施形態においては、内容器２０の受け入れ口２３が容器本体１１の側壁面１１Ａ側に開口しているので、図６に示すように、内容器２０の受け入れ口２３が飲食物Ｆの液面よりも上に配される。容器本体１１を、さらに傾けてストロー２５から飲食物Ｆを摂食すると、図７及び図８に示すように、すでに内容器２０とストロー２５に収容されていた量の飲食物Ｆしか口腔内には入ってこない。
【００３７】
本実施形態において、内容器２０とストロー２５に収容可能な飲食物Ｆの量の合計は、概ね１０ｍｌ以下に設定されており、少量である。
【００３８】
飲食物Ｆが収容された状態の本実施形態の容器１０が転倒した場合においても、容器本体１１内に収容された飲食物Ｆは内容器２０に入った後ストロー２５を通過して容器本体１１外に出る。容器１０が転倒した場合には、飲食物Ｆを摂食するとき以上に容器本体１１が大きく傾くため、内容器２０の受け入れ口２３は飲食物Ｆの液面よりも上に配される（図７および図８を参照）。内容器２０の受け入れ口２３が飲食物Ｆの液面よりも上に配されると、すでに内容器２０とストロー２５に入っている量以下の飲食物Ｆしか容器本体１１外に流れ出ない（図９を参照）。
【００３９】
ここで、容器本体１１に大量の飲食物Ｆが入っていて、内容器２０の受け入れ口２３が飲食物Ｆの液面よりも下に配されるときでも、容器本体１１内の飲食物Ｆが容器本体１１外に出るには、必ず内容器２０内とストロー２５内を通過する必要があるため、内容器２０の受け入れ口２３が飲食物Ｆの液面よりも上になるところまで飲食物Ｆが容器本体１１の外に出る可能性はあるが、それ以上の量の飲食物Ｆは容器本体１１の外には出ない。
【００４０】
一方、内容器２０の受け入れ口２３が下向きに配されている場合には、すでに内容器２０に入っていた飲食物Ｆも、内容器２０の受け入れ口２３から容器本体１１内に戻る。そのため、内容器２０の受け入れ口２３が、飲食物Ｆの液面よりも上のときだけでなく液面よりも下のときでも、容器本体１１内の飲食物Ｆはほとんど容器本体１１の外に出ない。
【００４１】
その結果、本実施形態によれば多量の飲食物Ｆが容器外に出ることを防止した摂食嚥下用容器を提供することができる。
【００４２】
また、本実施形態によれば、蓋部１５の、内容器２０の受け入れ口２３と対応する領域１５Ａには、容器本体１１内の空気を逃がす空気孔１６が設けられているから、容器本体１１が傾いて受け入れ口２３が上向きに配されているときに、空気孔１６も上側に配されるので、空気孔１６からの飲食物Ｆの流出を防止できる。
【００４３】
また、本実施形態によれば、内容器２０は容器本体１１の底部内壁面１１Ｂに載置可能であるから、容器本体１１に収容されている飲食物Ｆを残さずに摂食することができる。
【００４４】
また、本実施形態によれば、内容器２０の上面には、端部に近づくに従いその高さ寸法が小さくなる傾斜面２１が形成されているから、容器本体１１内に収容される飲食物Ｆがとろみのあるものであっても、内容器２０の上面から下方へ流れ落ちるので、飲食物Ｆを残さずに摂食することができる。
【００４５】
また、本実施形態において、ストロー２５は、その配置方向と容器本体１１の底部内壁面１１Ｂとのなす角が鋭角となるように取り付けられているから、摂食する際に容器本体１１を大きく傾けることとなる。その結果、本実施形態によれば、内容器２０の受け入れ口２３が飲食物Ｆの液面よりも上に配されやすくなり、容器本体１１内の飲食物Ｆが容器本体１１外に出るのを確実に防止することができる。また、本実施形態によれば、ストロー２５が口と反対方向に配されているので、摂食のため容器１０に口を近づけたときに自然に顎を引いて飲食物Ｆが食道に流れ込みやすい姿勢となり、むせや誤嚥を予防することができる。
【００４６】
また、本実施形態によれば、ストロー２５、内容器２０、および蓋部１５は、分解可能であるから、各部品の洗浄が容易となり容器１０を清潔に保つことができる。
【００４７】
さらに、本実施形態によれば、可動式の把手部１４をさらに備えているから、所望の位置に把手部１４を配置できる。
【００４８】
＜他の実施形態＞
本発明は上記記述及び図面によって説明した実施形態に限定されるものではなく、例えば次のような実施形態も本発明の技術的範囲に含まれる。
（１）上記実施形態では、内容器２０の受け入れ口２３と対応する領域１５Ａに容器本体１１内の空気を逃がす空気孔１６が設けられている蓋部１５を示したが、空気孔のない蓋部であってもよいし、別の領域に空気孔が設けられている蓋部であってもよい。
（２）上記実施形態では、容器本体１１の底部内壁面１１Ｂに載置可能である内容器２０を示したが、底部内壁面に載置されず、容器本体内で浮いた状態で配される内容器であってもよい。
（３）上記実施形態では、内容器２０の上面に弧状の傾斜面２１が形成されている例を示したが、傾斜面は直線状の傾斜面であってもよい。また内容器３０の上面３０Ａは、図１０に示すような扁平面（傾斜面の形成されていない構成）であってもよい。図１０に示すような内容器３０を備える摂食嚥下用容器では、内容器３０の洗浄が容易となる。図１０に示す内容器３０において実施形態１と同様の構成については同じ符号を付している。図１０中３３は受け入れ口である。
（４）上記実施形態では、その配置方向と容器本体１１の底部内壁面１１Ｂとのなす角θが鋭角となるように取り付けられているストロー２５を示したが、θが９０℃以下となるように配置されるストロー２５を備えるものであってもよい。
（５）上記実施形態では、ストロー２５、内容器２０、および蓋部１５が分解可能である例を示したが、一体であってもよい。
（６）上記実施形態では、回動可能な把手部１４を備える容器１０を示したが、所望の場所に着脱できる把手部を備える容器でもよいし、把手部を備えない容器であってもよい。また、把手部の形状は両手で持てるような形状であってもよい。
【符号の説明】
【００４９】
１０…摂食嚥下用容器（容器）
１１…容器本体
１１Ａ…側壁面
１１Ｂ…底部内壁面
１２…開口部
１４…把手部
１５…蓋部
１５Ａ…領域
１６…空気孔
１７…ストロー取付突部
１７Ａ…挿通孔
２０，３０…内容器
２１…傾斜面
２２…取付部
２３…受け入れ口
２５…ストロー
Ｆ…飲食物
【図１】
2014061064.tif 000003
【図２】
2014061064.tif 000004
【図３】
2014061064.tif 000005
【図４】
2014061064.tif 000006
【図５】
2014061064.tif 000007
【図６】
2014061064.tif 000008
【図７】
2014061064.tif 000009
【図８】
2014061064.tif 000010
【図９】
2014061064.tif 000011
【図１０】
2014061064.tif 000012